(57)【要約】【課題】損傷やリニューアル等に応じるドアの改装を容易に能率よく、低コストで行なうことができるエレベータドアおよびエレベータドアの改装方法を提供する。【解決手段】エレベータの乗り場側出入口あるいはかご側出入口に設けられてその出入口２を開閉するドアパネル本体１１と、このドアパネル本体１１の表面に脱着可能に設けられた表面パネル１２とを備え、ドアパネル本体１１には、縁部に目地を兼ねるパネル受け１５が設けられいるとともに、表面の一部に嵌合溝１７が形成され、表面パネル１２には前記嵌合溝１７に対応する嵌合突起１８が設けられ、表面パネル１２の縁部がパネル受け１５により脱着可能に係止され、かつ嵌合突起１８が嵌合溝１７に脱着可能に嵌合されている。【選択図】　　図２
2004115163.tif 000002
【特許請求の範囲】
【請求項１】
エレベータの乗り場側出入口あるいはかご側出入口に設けられてその出入口を開閉するドアパネル本体と、このドアパネル本体の表面に脱着可能に設けられた表面パネルとを備えることを特徴とするエレベータドア。
【請求項２】
前記ドアパネル本体の縁部には目地を兼ねるパネル受けが設けられ、前記表面パネルの縁部が前記パネル受けにより脱着可能に係止されていることを特徴とする請求項１に記載のエレベータドア。
【請求項３】
前記ドアパネル本体には、縁部に目地を兼ねるパネル受けが設けられているとともに表面の一部に嵌合溝が形成され、前記表面パネルには前記嵌合溝に対応する嵌合突起が設けられ、前記表面パネルの縁部が前記パネル受けにより脱着可能に係止され、かつ前記嵌合突起が前記嵌合溝に脱着可能に嵌合されていることを特徴とする請求項１に記載のエレベータドア。
【請求項４】
前記ドアパネル本体の戸当り側の側面には戸当り目地が設けられ、この戸当り目地が前記パネル受けの一つとして機能していることを特徴とする請求項２または３に記載のエレベータドア。
【請求項５】
前記ドアパネル本体と表面パネルとの間にはクッション材が設けられていることを特徴とする請求項１ないし４のいずれかに記載のエレベータドア。
【請求項６】
エレベータの乗り場側出入口あるいはかご側出入口に設けられてその出入口を開閉するドアパネル本体を備え、このドアパネル本体の表面には表面パネルが脱着可能に設けられており、ドア改装時にはその表面パネルを取り外して新規の表面パネルと交換することを特徴とするエレベータドアの改装方法。
【発明の詳細な説明】
【０００１】
【発明の属する技術分野】
この発明は、エレベータの乗り場側出入口あるいはかご側出入口に設けられてその出入口を開閉するエレベータドアおよびエレベータドアの改装方法に関する。
【０００２】
【従来の技術】
エレベータの乗り場側出入口およびかご側出入口にはその開閉用のエレベータドアがそれぞれ設けられている。
【０００３】
エレベータドアは乗客や手荷物等と触れる機会が多く、このためその表面に細かい傷等が付き、美観が次第に低下してくる。このためその改装が求められるが、このような場合、従来においては、そのドアの全体を新規のドアと交換するようにしている。
【０００４】
また、建屋のリニューアル等に際しては、外観的に目立つエレベータドアを別意匠に改装することが多いが、このような場合においても、従来ではドアの全体を新規のドアと交換するようにしている。
【０００５】
【発明が解決しようとする課題】
しかしながら、ドアの全体を交換するとなると、まず既存のドアを出入口から取り外し、この後、新規のドアを出入口に組み付け、かつ各種の調整を施さ必要があり、このため多大な労力と時間を要し、能率が低下するばかりでなく、エレベータの停止時間が長引いてエレベータの利用者に多大な迷惑を掛けてしまう結果となる。
【０００６】
また、新規の高重量のドアを搬入し、交換後の古いドアを搬出しなければならないから、その搬入や輸送等の労力やコストも嵩んでしまう。さらにドアの全体を出入口から取り外し、その出入口に新規のドアを組み付ける関係から、昇降路内への部品や作業員の落下の危険も伴い、したがってその安全対策を予め施さなければならなくな、より一層作業能率が低下してしまう。
【０００７】
この発明はこのような点に着目してなされたもので、その目的とするところは、損傷やリニューアル等に応じるドアの改装を容易に能率よく、低コストで行なうことができるエレベータドアおよびエレベータドアの改装方法を提供することにある。
【０００８】
【課題を解決するための手段】
請求項１の発明は、エレベータの乗り場側出入口あるいはかご側出入口に設けられてその出入口を開閉するドアパネル本体と、このドアパネル本体の表面に脱着可能に設けられた表面パネルとを備えることを特徴としている。
【０００９】
請求項２の発明は、前記ドアパネル本体の縁部には目地を兼ねるパネル受けが設けられ、前記表面パネルの縁部が前記パネル受けにより脱着可能に係止されていることを特徴としている。
【００１０】
請求項３の発明は、前記ドアパネル本体には、縁部に目地を兼ねるパネル受けが設けられているとともに表面の一部に嵌合溝が形成され、前記表面パネルには前記嵌合溝に対応する嵌合突起が設けられ、前記表面パネルの縁部が前記パネル受けにより脱着可能に係止され、かつ前記嵌合突起が前記嵌合溝に脱着可能に嵌合されていることを特徴としている。
【００１１】
請求項４の発明は、前記ドアパネル本体の戸当り側の側面には戸当り目地が設けられ、この戸当り目地が前記パネル受けの一つとして機能していることを特徴としている。
【００１２】
請求項５の発明は、前記ドアパネル本体と表面パネルとの間にクッション材が設けられていることを特徴としている。
【００１３】
請求項６の発明は、エレベータの乗り場側出入口あるいはかご側出入口に設けられてその出入口を開閉するドアパネル本体を備え、このドアパネル本体の表面には表面パネルが脱着可能に設けられており、ドア改装時にはその表面パネルを取り外して新規の表面パネルと交換することを特徴としている。
【００１４】
【発明の実施の形態】
以下、この発明の実施の形態について図面を参照して説明する。
図１にはエレベータホールの外観図を示してあり、エレベータホールの壁面には三方枠１が設けられ、この三方枠１によりエレベータ出入口２が構成されている。そしてこの出入口２にその開閉用のエレベータドア３が設けられ、また出入口２の側方部に操作盤４が設けられ、この操作盤４にかご呼び登録ボタン５や表示部６が設けられている。
【００１５】
この例のエレベータドア３は、一対のドアパネル１０を備え、これらドアパネル１０が敷居７に沿って互いに逆方向に移動して出入口２を開閉する両開き式構造となっている。図１の状態は、出入口２が閉塞された戸閉状態にあり、この戸閉状態から両ドアパネル１０が三方枠１の両側外方の戸袋部に向かって移動することにより出入口２が開放される。
【００１６】
各ドアパネル１０は、図２および図３に示すように、ドアパネル本体１１と、このドアパネル本体１１のエレベータホール側を向く表面に脱着可能に設けられた表面パネル１２とで構成されている。
【００１７】
ドアパネル本体１１の表面の上縁部と戸袋側の一側縁部にはそれぞれ目地を兼ねる断面Ｌ状のパネル受け１５，１６が取り付けられ、これらパネル受け１５，１６の内側に前記表面パネル１２の上縁部と一側縁部が差し込まれている。
【００１８】
ドアパネル本体１１の表面の下部にはその左右方向に延びる断面Ｌ状をなす嵌合溝１７が形成され、また表面パネル１２の裏面には前記嵌合溝１７に対応する断面Ｌ状の嵌合突起１８が突出形成され、この嵌合突起１８が前記嵌合溝１７内にスライド可能に差し込まれている。
【００１９】
嵌合溝１７はドアパネル本体１１の戸当り側の側面に通じており、前記表面パネル１２はドアパネル本体１１の戸当り側からその上縁部を前記パネル受け１５の内側に差し込むとともに前記嵌合突起１８を前記嵌合溝１７内に差し込み、この状態で表面パネル１２を戸当り側の反対方向つまり戸袋部側にスライドし、その先端側の表面パネル１２の側縁を前記受けパネル１６の内側に差し込むことにより、ドアパネル本体１１に取り付けられている。
【００２０】
この表面パネル１２とパネル本体１１の表面との間にはゴム等の弾性体からなるシート状のクッション材２０が設けられ、このクッション材２０を介して表面パネル１２がドアパネル本体１１の表面に弾性的に密着してそのがたつきや振動が抑えられている。このクッション材２０は、表面パネル１２の裏面あるいはドアパネル本体１１の表面に予め接着剤等により貼り付けておくことが好ましい。
【００２１】
表面パネル１２の戸当り側の側縁にはその裏面側にほぼ直角に折曲する側板１２ａが一体に形成され、この側板１２ａがドアパネル本体１１の戸当り側の側面に突き当てられている。
【００２２】
ドアパネル本体１１の戸当り側の側面には、前記側板１２ａを挟み込むように戸当り目地２１が設けられ、この戸当り目地２１が複数のビス２２（１本のみ図示）によりドアパネル本体１１に固定されている。
【００２３】
一方のドアパネル本体１１に設けられた戸当り目地２１と他方のドアパネル本体１１に設けられた戸当り目地２１は、図３に示すように戸閉状態のもとでほぼ互いに接触するように突き当てられる。
【００２４】
各戸当り目地２１は、表面にドアパネル本体１１の表面側に延びる延出片２１ａを有し、この延出片２１ａにより表面パネル１２の戸当り側の側縁が係止されている。
【００２５】
前記ビス２２は戸当り目地２１の外面から前記側板１２ａを貫通してドアパネル本体１１に螺挿され、このビス２２の締め付けにより表面パネル１２および戸当り目地２１がドアパネル本体１１に対して締結固定されている。
【００２６】
このようなエレベータドアにおいて、使用期間の経過に伴い、表面パネル１２の表面に傷が付いたり建屋のリニューアル等のためにドアを改装する必要が生じたときには、まずビス２２を抜き取り、戸当り目地２１をドアパネル本体１１から取り外す。そして表面パネル１２をドアパネル本体１１の戸当り側外方に引張ってそのドアパネル本体１１の表面から表面パネル１２を引き抜く。
【００２７】
次に、その引き抜いた表面パネル１２に換えて新規の表面パネル１２をドアパネル本体１１の表面に差し込む。すなわち、ドアパネル本体１１の戸当り側から表面パネル１２の上縁部をパネル受け１５の内側に差し込むとともに嵌合突起１８をドアパネル本体１１の嵌合溝１７内に差し込み、この状態で表面パネル１２を戸当り側の反対方向の戸袋側にスライドし、その先端側の表面パネル１２の側縁を受けパネル１６の内側に差し込むとともに側板１２ａをドアパネル本体１１の戸当り側の側面に突き当てる。
【００２８】
この後、前記側板１２ａの外面に戸当り目地２１を突き当て、この戸当り目地２１から前記側板１２ａを貫通してドアパネル本体１１にビス２２を螺挿し、このビス２２の締め付けにより表面パネル１２および戸当り目地２１をドアパネル本体１１に固定し、この戸当り目地２１の延出片２１ａで表面パネル１２の戸当り側の側縁を係止する。
【００２９】
このように、既存の表面パネル１２を新規の表面パネル１２に交換することにより、パネル本体１１をそのまま継続使用してドアを改装することができる。表面パネル１２はドアパネル本体１１に脱着可能に設けられているが、その表面にはビス等の固定用の部材が何ら露出することがなく、このためその取り付け後における表面パネル１２の外観を良好に保つことができる。
【００３０】
また、表面パネル１２のみを交換し、ドアパネル本体１１はそのまま継続して使用することができるから、ドアパネル本体１１が無駄にならず、コスト的に有利となるばかりでなく、そのドアパネル本体１１のエレベータ出入口２に対する取り外しや再取り付け、ならびに再取り付け時の調整等の各作業がすべて不要となり、単にドアパネル本体１１に対する表面パネル１２の脱着作業のみでよく、このため容易に能率よくかつ短時間で改装作業を終了することができ、エレベータの停止時間を必要最少限に短縮でき、また昇降路内への部品の落下や作業員の落下を避けて安全に作業をすることができる。
【００３１】
さらに、作業現場に新規の高重量のドアを搬入したり、交換後の古い高重量のドアを搬出するような必要がなく、単に軽量な表面パネル１２のみを搬入し、古い表面パネル１２のみを搬出すればよく、このためその搬入や輸送等の労力やコストを大幅に軽減できる。
【００３２】
前記実施形態においては、ドアパネル本体１１の表面下部に嵌合溝１７を形成するとともに、表面パネル１２の裏面下部にその嵌合溝１７に対応する嵌合突起１８を設け、この嵌合突起１８を前記嵌合溝１７内に嵌合させるようにしたが、これら嵌合溝１７および嵌合突起１８に替えて、図４に第２の実施形態として示すように、ドアパネル本体１１の表面の下縁部に目地を兼ねる断面Ｌ状のパネル受け２４を取り付け、このパネル受け２４の内側に表面パネル１２の下縁部をスライド可能に差し込んで表面パネル１２をドアパネル本体１１の表面に取り付けるようにしてもよい。
【００３３】
また、前記実施形態においては、ドアパネル本体１１の戸当り側の側面に戸当り目地２１を設け、この戸当り目地２１と共にビス２２で表面パネル１２の側板１２ａをドアパネル本体１１の戸当り側の側面に固定するようにしたが、図５に第３の実施形態として示すように、戸当り目地を用いない目地なしドアとして構成することも可能である。
【００３４】
この場合、表面パネル１２の戸当り側の縁部はドアパネル本体１１の戸当り側の縁部を取り囲むコ字状とし、そのドアパネル本体１１の裏面側に延びる背面板１２ｃの外面からドアパネル本体１１にビス２６を螺挿し、このビス２６で表面パネル１２をドアパネル本体１１に固定するように構成する。これにより、ビス２６が表面パネル１２の表面側に露出せず、ドアを表面側から見たときの外観がすっきりし、美観を良好に保つことができる。
【００３５】
前記各実施形態においては、両開き式のドアを対象として説明したが、図６に第４の実施形態として示すように、２枚のドアパネル１０ａ，１０ｂが戸閉状態からそれぞれ戸袋側の同一方向に移動して戸開状態となる片開き式のドア、あるいは図示しないが３枚のドアパネルが戸閉状態からそれぞれ戸袋側の同一方向に移動して戸開状態となる片開き式のドア、さらには１枚のドアが単独で戸閉状態から戸袋側に移動して戸開状態となる片開き式のドアにおいてもこの発明を同様に適用することが可能である。
【００３６】
また、この発明は、エレベータの乗り場側出入口に設けるエレベータドアに適用する場合に限らず、かご側出入口に設けるエレベータドアにおいても同様に適用することができる。
【００３７】
【発明の効果】
以上説明したようにこの発明によれば、損傷やリニューアル等に応じるドアの改装時にその改装作業を容易に能率よく、低コストで行なうことができる。
【図面の簡単な説明】
【図１】この発明の第１の実施形態に係るエレベータドアの外観図。
【図２】そのエレベータドアの縦断面図。
【図３】そのエレベータドアの横断面図。
【図４】この発明の第２の実施形態に係るエレベータドアの縦断面図。
【図５】この発明の第３の実施形態に係るエレベータドアの横断面図。
【図６】この発明の第４の実施形態に係るエレベータドアの横断面図。
【符号の説明】
１…三方枠
２…出入口
３…エレベータドア
１０…ドアパネル
１１…ドアパネル本体
１２…表面パネル
１２ａ…側板
１５，１６…パネル受け
１７…嵌合溝
１８…嵌合突起
２０…クッション材
２１…戸当り目地
２４…パネル受け
【図１】
2004115163.tif 000003
【図２】
2004115163.tif 000004
【図３】
2004115163.tif 000005
【図４】
2004115163.tif 000006
【図５】
2004115163.tif 000007
【図６】
2004115163.tif 000008